(57)【要約】【課題】  衛生用紙の保持性及び取出し性の良い衛生用紙入りカートンを提供するものである。【解決手段】  衛生用紙が積層状態で内部に収納され、正面側に設けたインジケータ窓を通じて内部に収納された衛生用紙の残量を視認でき、該窓の下方に形成した取出し口から内部の衛生用紙を取り出すことができる。インジケータ窓と反対側の裏面に紙送りガイドを略Ｕ形の切離し可能な切込み線より形成し、かつ紙送りガイドは平行な直線状折目線を設けて前記直線状折目線を沿って内側に巻き込み可能になっている。  【選択図】  図１
2007230583.tif 000002
【特許請求の範囲】
【請求項１】
衛生用紙が積層状態で内部に収納され、インジケータ窓を通じて内部に収納された前記衛生用紙の残量を目視でき、取出し口から内部の前記衛生用紙を取出すことができる衛生用紙入りカートンにおいて、
該カートンに、前記衛生用紙を押し込む紙送りガイドを略Ｕ形の切離し可能な切込み線より形成し、かつ前記紙送りガイドには平行な直線状折目線を設けて前記直線状折目線で折り曲げることにより内側に巻き込み可能になっていることを特徴とする衛生用紙入りカートン。
【請求項２】
前記インジケータ窓を該カートンの正面側に設けると共に、前記インジケータ窓の下方に前記取出し口を形成し、反対側の裏面に前記紙送りガイドを形成したことを特徴とする請求項１に記載の衛生用紙入りカートン。
【請求項３】
前記紙送りガイドには、前記切込み線を切離すことでガイド付け根に位置する前記折目線をヒンジとして前記取出し口に向けて突出し、剛性で内部に収納された前記衛生用紙を上から押し込み抑止しうるフラップ状羽根板部が形成されることを特徴とする請求項１又は２に記載の衛生用紙入りカートン。
【請求項４】
前記衛生用紙は、水解性の衛生用紙であることを特徴とする請求項１〜３の何れか１項に記載の衛生用紙入りカートン。
【請求項５】
前記衛生用紙は、縦長状に立てた状態で使用する直方体状のカートン内に上下方向に１セットずつ積層して収納されていることを特徴とする請求項１〜４の何れか１項記載の衛生用紙入りカートン。
【発明の詳細な説明】
【技術分野】
【０００１】
本発明は、トイレ用ティシュペーパー等の衛生用紙を収納したカートンに関するものである。
【背景技術】
【０００２】
衛生用紙の中でもトイレで使用する衛生用紙としては、トイレットペーパーロールが主流を占めている。トイレットペーパーロールは、トイレのロールスタンドにペーパーロールをセットしてから、使用時にペーパーロールを回転し、カット板を押さえて紙を所定長さに切って使うものであり、切りやすいように、紙に一定の長さごとにミシン目を入れたものがある。
【０００３】
従来のトイレットペーパーロールは、ロールスタンドにいちいちセットする必要があり、また片手では紙を切り取ることが難しかった。また、子供、老人等の使用者にとって、その都度ロールを回転しながら紙を切って使うロールペーパーは必ずしも使いやすいものとはいえなかった。同じことは体が不自由な人にも当てはまる。
更には健常者であっても手を自由に使えない場合、たとえば、電車や飛行機内のトイレ等では、両手を使わなければ紙を切断できない従来のトイレットペーパーロールは大変不便であった。
また、公衆トイレ等では衛生上、カバーなどに手を触れずにトイレットペーパーを取出し使用できるのが望ましい。
【０００４】
そのため、使用の都度紙を切る必要がない従来の京花紙、ちり紙のような、所定の長さに短く切られた薄用紙でかつ水洗トイレに廃棄できるカートン入りのトイレ用ティシュペーパーの需要が未だ根強いものである。
このような要請に応えるものとしては、従来、水洗トイレでトイレットロールとの併用を目的に、吸水性の高いトイレ用ティシュペーパーを収納したカートンも提案されている(例えば特許文献１参照)。
【０００５】
【特許文献１】特開２００２−１１２９２０号公報
【特許文献２】特開２００１−５８６８５号公報
【特許文献３】実開平６−６５２８４号公報
【発明の開示】
【発明が解決しようとする課題】
【０００６】
しかし、特許文献１に示すものの場合、上面取出し口の開閉フラップをカートン裏面に折返し、その折返しフラップをトイレットペーパーロールスタンドに挿入係止するようにして、カートンをトイレットペーパーロールスタンドに設置するものである。そのため従来のティシュペーパーボックスと同じく、カートン上面の取出し口からトイレ用ティシュペーパーを引き上げて取出すものであったから、子供、老人等の使用者にとって、トイレ用ティシュペーパーの取出しが容易ではなかった。体が不自由な人の場合、あるいは体の自由が制限されている状態では、トイレ用ティシュペーパーをカートンの上面の取出し口より引き上げて取出す操作は、つらい動作である。
そこで片手でトイレ用ティシュペーパーを１セットずつ引出すことができ、また従来のトイレットペーパーロールと同様に、小さな力でトイレ用ティシュペーパーを下方に摘んで引出し使用できることが望まれる。また、特許文献１は使用中にカートン内部の紙残量を容易に確認できなかった。
【０００７】
カートン内部の紙残量を容易に確認できるティシュペーパーのカートンは既に提案されている(例えば特許文献２及び３参照)。しかしカートン内のティシュペーパーを押さえて取出し口に送り込むガイド手段がなかったので、ティシュペーパーの積層が崩れて、ティシュペーパーを最後までスムーズに取出すことができないことがある。
本発明の課題は、トイレットペーパーロールを使用することなく、トイレ用家庭用薄用紙の保持性及び取出し性の良い衛生用紙入りカートンを提供するものである。
【課題を解決するための手段】
【０００８】
上記の課題を解決するために請求項１の発明は、衛生用紙が積層状態で内部に収納され、インジケータ窓を通じて内部に収納された前記衛生用紙の残量を目視でき、取出し口から内部の前記衛生用紙を取り出すことができる衛生用紙入りカートンにおいて、
該カートンに、前記衛生用紙を押し込む紙送りガイドを略Ｕ形の切離し可能な切込み線より形成し、かつ前記紙送りガイドには平行な直線状折目線を設けて前記直線状折目線で折り曲げることにより内側に巻き込み可能になっていることを特徴とする衛生用紙入りカートンである。
【０００９】
請求項２の発明は、前記インジケータ窓をカートンの正面側に設けると共に、前記インジケータ窓の下方に前記取出し口を形成し、反対側の裏面に前記紙送りガイドを形成したことを特徴とする請求項１の衛生用紙入りカートンである。
【００１０】
請求項３の発明は、前記紙送りガイドには、前記切込み線を切離すことでガイド付け根に位置する前記折目線をヒンジとして少なくとも取出し口に向けて突出でき、剛性で内部に収納された前記衛生用紙を上から押し込み抑止しうるフラップ状羽根板部が形成されることを特徴とする請求項１又は２に記載の衛生用紙入りカートンである。
【００１１】
請求項４の発明は、衛生用紙は水解性の衛生用紙であることを特徴とする請求項１〜３の何れか１項に記載の衛生用紙入りカートンである。
【００１２】
請求項５の発明は、前記衛生用紙は、縦長状に立てた状態で使用する直方体状のカートン内に上下方向に１セットずつ積層して収納されている請求項１〜４の何れか１項記載の衛生用紙入りカートンである。
【発明の効果】
【００１３】
請求項１と２の発明によれば、インジケータ窓を通じて内部に収納された衛生用紙の残量を目視できるだけでなく、残量に応じて紙送りガイドを切込み線に沿って切り離し、かつ紙送りガイドを平行な直線状折目線で折り曲げることにより内側に巻き込んで内部の衛生用紙を押さえることができることとなって、紙送りガイドによって内部の衛生用紙を積層の最後まで送り込むことができる。
また、使用中にカートンの中の紙送りガイドの巻き込み状態を反対側のインジケータ窓を通じて目視することができる。
請求項３の発明によれば、紙送りガイドには、切込み線を切離すことでガイド付け根に位置する折目線をヒンジとして少なくとも取出し口に向けて突出でき、剛性で内部に収納された衛生用紙を上から押し込み抑止しうるフラップ状羽根板部が形成されるから、カートン内の衛生用紙の積層が最後まで崩れることなく、衛生用紙をスムーズに取出すことができる利点がある。
請求項４の発明によれば、上記の効果に加え水洗トイレに廃棄できる水解性に優れたトイレ用衛生用紙を収納したカートンを提供できる。
請求項５の発明によれば、衛生用紙は縦長状に立てた状態で使用する直方体状のカートン内に上下方向に１セットずつ積層して収納されているから、取出し口から衛生用紙を取り出す際、小さな力で下方に摘んで衛生用紙を１セットずつ引出すことができる。
【発明を実施するための最良の形態】
【００１４】
次に図面を参照して本発明の実施形態を詳細に説明する。
本発明の衛生用紙入りカートンは、例えば図１に示すように、縦長状に立てた状態で使用する直方体状の収納箱であり、この収納箱に、トイレ用ティシュペーパー等の衛生用紙Ｐが積層して収納されている。
【００１５】
本発明では、カートンに収納する衛生用紙Ｐは、図７に示すように、一枚又は一組ずつ、換言すれば１セットずつカートンから取り出せるように、Ｃ字型に折ったＣフォールドと呼ばれる折り方で、カートンの上下方向に積層して収納されている。
なお、衛生用紙Ｐは水洗トイレに廃棄しやすいように、水解性に優れた衛生用紙であることが好ましい。ここでいう「水解性」とは、水流中において衛生用紙Ｐを構成する繊維が容易に離解することができることを意味する。
【００１６】
本発明のカートンを更に詳しく説明すると、カートンの正面側には内部に収納した衛生用紙の取出し口と、さらにカートン内部の衛生用紙の残量を目視できるインジケータ窓を設けている。インジケータ窓と反対側の裏面には、紙送りガイドを略逆Ｕ形の切離し可能なミシン目状切込み線より形成し、かつ紙送りガイドには平行な直線状折目線を設け、切込み線より切離し直線状折目線で折り曲げることにより内側に巻き込み可能になっている。
【００１７】
図３の組立前のブランク及び図４の組立図に示すように、本発明のカートンは４枚の矩形状パネル１〜４を接合代５により角筒状に連係した後、その角筒体の上下端面を内外フラップ６〜９で閉塞した構成となっている。そして正面側パネル１には中央部に、収納された衛生用紙Ｐの残量を目視できるインジケータ窓1５を設け、該インジケータ窓1５の下方に衛生用紙Ｐを取り出す取出し口１３を形成している。
【実施例】
【００１８】
まずブランク全体の構成を図３より説明する。符号１と２は長方形の正面板と背面板であり、両者は対称的に形成されている。３と４は幅の狭い長方形をした左右一対の側面板である。符号５は接合片を示している。正面板１、側面板２、背面板３、側面板４、接合片５は折曲げ用罫線を介して順に連接され、接合片５により角筒状に組み立て得るようになっている。符号６と７は正面板１と背面板２と両端縁に連接した外フラップであり、８と９は側面板３と４の両端縁に連接した内フラップである。
なお外フラップ６と７は、内フラップ８と９の上に折り重ねて直方体状のカートン本体の上下の両端面を封鎖する。接合代1１により外フラップ６と７の先端同士が貼り合わせられる。また接合代1１の境界線上に設けた切込線１０から背面板２にわたって、使用後にカートンを解体するためのＵ字状切込線１２が設けられている。
なお実施例のカートンは、一例としてカートン高さ方向の寸法（Ｈ）は１６０〜２５０ｍｍ、長手方向の寸法（Ｌ）は１００〜１２５ｍｍ、短手方向の寸法（ｗ）は５０〜１４０ｍｍの略直方体に作製されている。
【００１９】
次に衛生用紙Ｐの取出し口１３について説明する。図１に示した取出し口１３は、正面板1の下部に設けられ、切取可能なミシン目状切込線１４によって、例えば幅７６ｍｍの略半円形状に形成されている。取出し口１３の形状は図示のような半円形に限るものでなく、楕円形、多角形状でも良いが、衛生用紙Ｐを取り出す際の接触抵抗の小さい滑らかな曲線で囲まれているのが好ましい。
【００２０】
続いてインジケータ窓１５について説明する。図１に示すように、使用時に内部の衛生用紙Ｐの残量を目視できるインジケータ窓１５が正面板1の上下方向中央部に細長く設けられている。インジケータ窓１５はミシン目状切込線１６により囲まれた切取部を正面板１から切り取って開設されるが、開封時にインジケータ窓１５を開けやすくするために切取部の一端に、端部切込線１7を設けている。
なおインジケータ窓１５は側面板の一方または両方に設けることもできる。このインジケータ窓１５は、後述するようにどのような形状であってもよいが、広すぎるとゴミ、埃がカートン内に侵入しやすくなるので、狭いほうがよい。インジケータ窓１５からゴミ、埃が侵入するのを防止するためインジケータ窓１５の内側には透明のプラスチックフィルムｆを貼着することが好ましい。
【００２１】
次に紙送りガイド１９について説明する。紙送りガイド１９は、インジケータ窓１５と反対側の背面板２の中央部に略逆Ｕ形の切離し可能なミシン目状切込み線２０より形成し、かつ紙送りガイド１９には互いに平行な複数の直線状折目線２１を設けて、直線状折目線２１で折り曲げることにより内側に巻き込み可能になっている
この紙送りガイド１９には、ミシン目状切込み線２０を切り離すことにより、剛性で内部に収納された衛生用紙Ｐを上から押し込み抑止しうるフラップ状羽根板部１８が形成される。そしてフラップ状羽根板１８の自由端部は、少なくとも付け根の折目線２１ａをヒンジとして取出し口１３に向けて突出できる（図５参照）。しかもこの紙送りガイド１９は、内部の衛生用紙Ｐの残量に応じてミシン目状切込み線２０に沿って切り離し、かつ平行な直線状折目線２１でカートン内に折って衛生用紙Ｐを押さえ、内部に収納された衛生用紙Ｐの積層を上から押し込むことができる。従って衛生用紙Ｐがカートンの途中に残ることはなく、衛生用紙Ｐを最後まで使い切ることができる。
【００２２】
以上実施例について説明したが、インジケータ窓の位置はカートンの正面に限らず、側面や上面のいずれにあってもよい。また、インジケータ窓の形状及び寸法は内部に収納する衛生用紙の入り数に応じて適宜決定され、衛生用紙の残量が目視できれば長円形状、あるいは四角形状等の、どのような形状であってもよい。また、取出し口の形状や寸法も衛生用紙の取出しやすさ、大きさに応じて適宜決定され、半円形状のみならず、四角形状等の、どのような形状であってもよい。
【００２３】
図８は水洗トイレでトイレットロールとの併用を目的に、本発明の衛生用紙入りカートン３０をトイレットロールホルダ４０の上に設置した事例である。本例では粘着テープ３１を介してカートン３０の背面上側のコーナー部をトイレ壁面４１に貼着し、トイレットロールホルダ４０の上部にカートン３０を斜め置きしたものである。ロールペーパーと異なり、片手で衛生用紙Ｐを１セットずつ引出すことができるので便利である。また、必要に応じて、カートン３０の背面上側のコーナー部を中心としてカートン３０の下部を手前側（図８右側）に持ち上げることができ、これによりカートン３０がトイレットロールの交換作業の妨げとなることがない。
【００２４】
最後に、使用済みカートンの解体方法の実施例について説明する。図２に示すように、カートンの背面板２の両端に設けたＵ字状切込線１２の内部分を押圧し、該切込線１２に囲まれた部分をカートン内側に押し込んで切込線１２を破断させた後、図６の矢印のように外フラップ７を外側に広げるように動かすと接合代1１の境界線上に設けた切込線１２が破断し、外フラップ６と７とが切り離されてカートンを解体することができるものである。
【００２５】
本発明は、収納する対象が衛生用紙であれば、カートン入りのティシュペーパー、キッチンペーパーなどの収納カートンであってもよい。また、衛生用紙は２枚１組に限られず、３枚１組、４枚１組としてもよい。また、衛生用紙の収納状態もカートンの上下方向に積層して収納されているものに限るものでなく、図９の例にごとく、衛生用紙Ｐの束がカートンの中に「く」字形に曲がった状態で収納されているもの、或いは図１０の例のごとく衛生用紙Ｐの束が湾曲された状態で収納されているものにも適用できる。
【００２６】
図９に示されるカートンでは、衛生用紙Ｐが２枚を１組として１組ずつ交互に互い違いに折り込まれて積層されて束となっており、この衛生用紙Ｐの束が長手方向を上下方向として長手方向に「く」字形に曲がった状態で収納されている。カートン底面には、その奥方部分に取出し口１３が形成され、この取出し口１３から衛生用紙Ｐを下方に引き出して取り出せるようになっている。また、カートン側面には、インジケータ窓１５が形成され、このインジケータ窓１５を通じて内部に収納された衛生用紙Ｐの残量を目視できるようになっている。また、カートン正面には、中央部に紙送りガイド１９が略Ｕ形の切離し可能なミシン目状切込み線２０より形成されている。紙送りガイド１９には、互いに平行な複数の直線状折目線２１が設けられ、直線状折目線２１で折り曲げることにより内側に巻き込み可能になっている。すなわち、ミシン目状切込み線２０を切り離して直線状折目線２１で折り曲げれば、衛生用紙Ｐの束を奥方へ押し込みうるフラップ状羽根板部１８が形成されるようになっている。この紙送りガイド１９は、内部の衛生用紙Ｐの残量に応じてミシン目状切込み線２０に沿って切り離し、かつ平行な直線状折目線２１でカートン内に折って衛生用紙Ｐを押さえ、内部に収納された衛生用紙Ｐの束を手前（正面側）から奥方へ押し込むことができる。従って、この場合にも、衛生用紙Ｐがカートンの途中に残ることはなく、衛生用紙Ｐを最後まで使い切ることができる。
図１０に示されるカートンでは、正面を湾曲面としたかまぼこ形に形成されている。そして、衛生用紙Ｐが２枚を１組として１組ずつ交互に互い違いに折り込まれて積層されて束となっており、この衛生用紙Ｐの束が長手方向を上下方向としてカートンの内部にカートンの正面の湾曲面に沿って幅方向に湾曲した状態で収納されている。カートン底面には、その奥方部分に取出し口１３が形成され、この取出し口１３から衛生用紙Ｐを下方に引き出して取り出せるようになっている。また、カートン上面には、インジケータ窓１５が形成され、このインジケータ窓１５を通じて内部に収納された衛生用紙Ｐの残量を目視できるようになっている。また、カートン正面には、中央部に紙送りガイド１９が略Ｕ形の切離し可能なミシン目状切込み線２０より形成されている。紙送りガイド１９には、互いに平行な複数の折目線２１が設けられ、折目線２１で折り曲げることにより内側に巻き込み可能になっている。すなわち、ミシン目状切込み線２０を切り離して折目線２１で折り曲げれば、衛生用紙Ｐの束を奥方へ押し込みうるフラップ状羽根板部１８が形成されるようになっている。この紙送りガイド１９は、内部の衛生用紙Ｐの残量に応じてミシン目状切込み線２０に沿って切り離し、かつ折目線２１でカートン内に折って衛生用紙Ｐを押さえ、内部に収納された衛生用紙Ｐの束を手前（正面側）から奥方へ押し込むことができる。従って、この場合にも、衛生用紙Ｐがカートンの途中に残ることはなく、衛生用紙Ｐを最後まで使い切ることができる。
【図面の簡単な説明】
【００２７】
【図１】本発明のカートンの実施の一例を示し、正面下部に設けた取出し口から衛生用紙を引出している途中の状態を示す斜視図である。
【図２】同上カートンの裏面に設けた紙送りガイドを内側に突出させた状態を示す斜視図である。
【図３】同上カートンブランクの展開図である。
【図４】同上カートンブランクの組立斜視図である。
【図５】本発明カートンの紙送りガイドを使用状態の一例を示す断面略図である。
【図６】カートンの解体方法を示した略図である。
【図７】カートン内に収容する衛生用紙の折り方の一例を示す断面図である。
【図８】本発明カートンの使用状態図でトイレットペーパーロールスタンドに設置した例である。
【図９】他の実施例を示す斜視図である。
【図１０】その他の実施例を示す斜視図である。
【符号の説明】
【００２８】
１    正面板
２    背面板
３、４    側面板
５    接合片
６、７    外フラップ
８、９    内フラップ
１０  切込線
１１  接合代
１２  切込線
１３  取出し口
１４  切込線
１５  インジケータ窓
１６  切込線
１７  端部切込線
１８  フラップ状羽根板
１９  紙送りガイド
２０  切込線
２１  折目線
３０  本発明のカートン
４０  トイレットロールホルダ
【図１】
2007230583.tif 000003
【図２】
2007230583.tif 000004
【図３】
2007230583.tif 000005
【図４】
2007230583.tif 000006
【図５】
2007230583.tif 000007
【図６】
2007230583.tif 000008
【図７】
2007230583.tif 000009
【図８】
2007230583.tif 000010
【図９】
2007230583.tif 000011
【図１０】
2007230583.tif 000012